(57)【特許請求の範囲】
【請求項１】
ＰＬＬにおいて形成された信号を使用して受信信号の周波数変換を行うとともに、上記ＰＬＬの可変分周回路の分周比を変更することにより、上記信号の周波数を変更して受信周波数を変更するようにしたシンセサイザ方式の受信機において、
複数のエリアのエリアごとに、そのエリア内の放送局の主要な周波数のデータを、その放送局の他の周波数のデータまで含んで記憶したデータテーブルと、
エリアキーと、
サーチキーと、
複数の選局キーと、
上記複数の選局キーのそれぞれに対応するデータエリアと
を有し、
上記エリアキーを押すことにより、上記複数のエリアのうちの任意の１つのエリアに対応したデータテーブルが選択され、
この選択されたデータテーブルから上記主要な周波数のデータが読み出されて上記データエリアに書き込まれ、
上記サーチキーを押したときには、上記エリアキーを押すことにより選択されたデータテーブルにおける上記周波数のデータを使用して選局が行われるとともに、この選局時、放送の受信が可能であるかどうかがチェックされ、
このチェックにより放送の受信が可能なときには、その周波数のデータが選択され、
この選択された周波数のデータが上記データエリアに書き込まれ、
上記選局キーを押したときには、上記データエリアのうち、上記押された選局キーに対応するデータエリアから、ここに書き込まれている周波数のデータが読み出され、
この読み出された周波数のデータにしたがって上記可変分周回路の分周比がセットされて上記読み出された周波数のデータに対応した放送局が選局される
ようにした受信機。
【請求項２】
請求項１に記載の受信機において、
上記サーチキーが押されて上記選択された周波数のデータが上記データエリアに書き込まれている期間、受信回路の受信感度が低下する
ようにした受信機。
【発明の詳細な説明】
【０００１】
【発明の属する技術分野】
この発明は、プリセット機能を有する受信機に関する。
【０００２】
【従来の技術】
一般に、ＰＬＬを使用したシンセサイザ方式の受信機は、受信周波数を選局キーにプリセットしておくことができ、選局キーを押すと、その押されたキーにプリセットされている周波数の放送局を選局できるようにされている。
【０００３】
そして、そのプリセットは、受信周波数のデータ、例えばＰＬＬの可変分周回路の分周比のデータを、選局キーに対応したメモリのアドレスに書き込んでおくものである。また、選局キーによる選局は、押されたキーに対応したアドレスから分周比のデータを読み出し、これを可変分周回路にセットすることにより、実現している。
【０００４】
この場合、分周比のデータをプリセット用のメモリに書き込む方法として、オートメモリインと呼ばれるものがある。これは、例えばＡＭ放送の帯域内をスキャンしていくとともに、そのスキャン中、放送を受信できたら、そのときの周波数（分周比）のデータをメモリに書き込んでいくものである。
【０００５】
また、エリアコールと呼ばれるものもある。これは、エリア（地域）を選択すると、そのエリアで受信できる周波数のデータをＲＯＭから読み出してプリセット用のメモリに書き込むものである。
【０００６】
【発明が解決しようとする課題】
ところが、前者のオートメモリインの場合には、ＡＭ放送のプリセット時、昼夜の電波状況の違いにより、夜間にプリセットを行うと、昼間は受信できない遠方の放送局がプリセットされてしまう。また、ＦＭ放送のプリセット時、相互変調の影響で、放送局の存在しない周波数がプリセットされることがある。このように、オートメモリインは、誤ったプリセットを生じやすい。
【０００７】
一方、後者のエリアコールの場合には、受信機を日本全国のどこででも使用できるようにすると、各放送局のサービスエリアにしたがって、きわめて細かいエリア分けをしなければならず、ＲＯＭの容量をきわめて大きくする必要がある。また、目的とするエリアは、多数のエリアの中から選択することになるので、煩わしいものとなってしまう。
【０００８】
この発明は、以上のような問題点を解決しようとするものである。
【０００９】
【課題を解決するための手段】
このため、この発明においては、
ＰＬＬにおいて形成された信号を使用して受信信号の周波数変換を行うとともに、上記ＰＬＬの可変分周回路の分周比を変更することにより、上記信号の周波数を変更して受信周波数を変更するようにしたシンセサイザ方式の受信機において、
複数のエリアのエリアごとに、そのエリア内の放送局の主要な周波数のデータを、その放送局の他の周波数のデータまで含んで記憶したデータテーブルと、
エリアキーと、
サーチキーと、
複数の選局キーと、
上記複数の選局キーのそれぞれに対応するデータエリアと
を有し、
上記エリアキーを押すことにより、上記複数のエリアのうちの任意の１つのエリアに対応したデータテーブルが選択され、
この選択されたデータテーブルから上記主要な周波数のデータが読み出されて上記データエリアに書き込まれ、
上記サーチキーを押したときには、上記エリアキーを押すことにより選択されたデータテーブルにおける上記周波数のデータを使用して選局が行われるとともに、この選局時、放送の受信が可能であるかどうかがチェックされ、
このチェックにより放送の受信が可能なときには、その周波数のデータが選択され、
この選択された周波数のデータが上記データエリアに書き込まれ、
上記選局キーを押したときには、上記データエリアのうち、上記押された選局キーに対応するデータエリアから、ここに書き込まれている周波数のデータが読み出され、
この読み出された周波数のデータにしたがって上記可変分周回路の分周比がセットされて上記読み出された周波数のデータに対応した放送局が選局される
ようにした受信機
とするものである。
【００１０】
【発明の実施の形態】
図１は、この発明をＡＭ受信機に適用した場合の１つを示す。そして、符号１０はシンセサイザ方式に構成されたＡＭ受信回路であり、アンテナ１１からの受信信号が、電子同調方式のアンテナ同調回路１２に供給されて目的とする周波数ｆRXの放送波信号ＳRXが取り出される。
【００１１】
そして、この信号ＳRXが、高周波アンプ１３を通じてミキサ回路１４に供給されるとともに、ＶＣＯ２１から周波数ｆLOが、例えば、
ｆLO＝ｆRX＋ｆIF〔ｋHz〕                               ・・・  (1)
ｆIFは中間周波数で、例えば、ｆIF＝450ｋHz
の発振信号ＳLOが取り出され、この信号ＳLOがミキサ回路１４に局部発振信号として供給され、信号ＳRXは中間周波信号ＳIF（中間周波数ｆIF）に周波数変換される。
【００１２】
さらに、この中間周波信号ＳIFが、中間周波アンプ１５を通じてＡＭ検波回路１６に供給されてオーディオ信号が復調され、この信号がアンプ１７を通じてスピーカ１８に供給される。
【００１３】
そして、このとき、ＶＣＯ２１は、回路２２〜２５とともに、ＰＬＬ２０を構成している。すなわち、ＶＣＯ２１からの信号ＳLOが、可変分周回路２２に供給されて１／Ｎの周波数に分周され、この分周信号が位相比較回路２３に供給されるとともに、発振回路２４から基準周波数、例えば周波数９ｋHzの発振信号が取り出され、この発振信号が比較回路２３に供給され、その比較出力がローパスフィルタ２５を通じてＶＣＯ２１にその制御電圧として供給される。また、フィルタ２５の出力電圧が、同調回路１２に選局電圧として供給される。
【００１４】
したがって、定常状態においては、分周回路２２からの分周信号と、発振回路２４の発振信号とは周波数が等しいので、このときの発振信号ＳLOの周波数ｆLOは、
ｆLO＝Ｎ×９〔ｋHz〕                                   ・・・  (2)
となり、(1)、(2)式から
0003709897.tif 000002
となる。
【００１５】
したがって、分周比Ｎを、109〜230の間において「１」ずつ変化させれば、局部発振周波数ｆLOが、981ｋHz〜2070ｋHzの間を９ｋHzの間隔で変化するので、受信周波数ｆRXは、531ｋHz〜1620ｋHzの周波数帯を９ｋHzの周波数ステップで、かつ、分周比Ｎに対応して変化することになる。
【００１６】
また、中間周波アンプ１５からの中間周波信号ＳIFおよび検波回路１６の検波出力の各一部が検出回路３１に供給され、検出回路３１からは、
0003709897.tif 000003
となる検出信号Ｓ31が取り出される。
【００１７】
さらに、このＡＭ受信機には、プリセット受信を実現するため、マイクロコンピュータ４０が設けられている。このマイクロコンピュータ４０は、ＣＰＵ４１と、プログラム用およびデータ用のＲＯＭ４２と、ワークエリア用のＲＡＭ４３と、プリセットされた周波数データの記憶用のメモリ４４とを有する。そして、メモリ４２〜４４はシステムバス４９を通じてＣＰＵ４１に接続される。
【００１８】
この場合、ＲＯＭ４２には、プログラムの一部として例えば図２に示すサーチルーチン１００が用意されるとともに、例えば図３Ａに示すようなエリアコール用の周波数データのテーブルDTBLが用意される。
【００１９】
すなわち、このＡＭ受信機においては、ＡＭ放送局のサービスエリアを考慮して、日本全国が、
「北海道」、「東北１」、「東北２」
「関東１」、「関東２」、「中部」
「東海」、「北陸」、「近畿１」、「近畿２」
「中国」、「四国」、「九州１」、「九州２」
の14のエリアに分割された場合である。
【００２０】
そして、データテーブルDTBLは、その分割されたエリアごとに用意されるものであり、図３ＡのデータテーブルDTBLは「東北２」に対応するテーブルを示す。そして、このデータテーブルDTBLは、後述する選局キーの数に対応して７局分のデータエリアＰ1〜Ｐ7を有するとともに、データエリアＰ1〜Ｐ7のそれぞれは、例えば11局分のサブエリアＱ1〜Ｑ11に分割されている。
【００２１】
そして、第１番目のデータエリアＰ1の第１番目のサブエリアＱ1に、「東北２」のエリアが対象とする「ＮＨＫ第１放送」のうち、もっとも代表的な周波数891ｋHzのデータとして、分周比149が書き込まれている。なお、かっこ内の数字は、周波数を参考のために示すものであり、これはテーブルDTBLに書き込まれてはいない（以下同様）。
【００２２】
また、第１番目のデータエリアＰ1の第２番目〜第10番目のサブエリアＱ2〜Ｑ10に、「東北２」のエリアが対象とする「ＮＨＫ第１放送」の他の周波数846ｋHz〜1341ｋHzのデータとして、分周比144〜199が書き込まれている。さらに、第１番目のデータエリアＰ1の第11番目のサブエリアＱ11に、分周比Ｎとして有り得ない値、例えば「０」が終了を示すデータとして書き込まれている。
【００２３】
また、第２番目のデータエリアＰ2の第１番目のサブエリアＱ1に、「東北２」のエリアが対象とする「山形放送」の主要な周波数918ｋHzのデータとして、分周比152が書き込まれている。
【００２４】
さらに、第２番目のデータエリアＰ2の第２番目のサブエリアＱ2に、「東北２」のエリアが対象とする「山形放送」の他の周波数1098ｋHzのデータとして、分周比172が書き込まれ、残るサブエリアＱ3〜Ｑ10はデータの終了および空きを示す「０」が書き込まれている。
【００２５】
そして、以下同様に、第３番目のデータエリアＰ3から第５番目のデータエリアＰ5に、「東北２」のエリアが対象とする「ＮＨＫ第２放送」、「東北放送」、「ラジオ福島」の周波数のデータとして、分周比Ｎ〜Ｎがそれぞれ書き込まれている。さらに、データエリアＰ6、Ｐ7は空いているので、データとして「０」が書き込まれている。
【００２６】
つまり、一般的に言えば、データテーブルDTBLのデータエリアＰ1〜Ｐ7の第１番目のサブエリアＱ1〜Ｑ1には、そのデータテーブルDTBLが対象としているエリア（特にその主要な都市）で受信できる主要な放送局の周波数のうち、代表的な周波数の分周比Ｎ〜Ｎが、周波数順に書き込まれている。また、第１番目のサブエリアＱ1〜Ｑ1に分周比Ｎ〜Ｎの書き込まれた放送局が、サテライト周波数などの別の周波数でも放送をしているときには、その別の周波数の分周比Ｎ〜Ｎが、データエリアＰ1〜Ｐ7の第２番目以降のサブエリアＱ2〜Ｑ2に、それぞれ書き込まれている。
【００２７】
さらに、図１において、メモリ４４は、データの消去および書き込みを電気的に行うことのできるＲＯＭとされ、あるいは、図示はしないが、電池によりバックアップされたＲＡＭとされ、すなわち、メモリ４４は不揮発性メモリとされ、電源をオフにしたときでも、書き込まれたデータを保持できるようにされている。
【００２８】
そして、このメモリ４４には、例えば図３Ｂに示すように、７局分のエリアＡ1〜Ａ7が用意されるとともに、その各エリアＡ1〜Ａ7には、分周比Ｎを記憶（プリセット）できるようにされている。
【００２９】
さらに、バス４９には、ポート５１〜５４およびキーインターフェイス回路５５が接続される。そして、ポート５１は分周回路２２に接続され、ＣＰＵ４１からの分周比Ｎが、ポート５１を通じて分周回路２２にセットされる。また、ポート５２から制御信号Ｓ52が取り出され、この信号Ｓ52が、例えば高周波アンプ１３に利得の制御信号として供給され、受信回路１０の受信感度は、
Ｓ52＝“０”のとき、通常よりも低い感度
Ｓ52＝“１”のとき、通常の感度（最高感度）
とされる。
【００３０】
また、検出回路３１からの検出信号Ｓ31がポート５３を通じてマイクロコンピュータ４０に取り込まれる。さらに、ポート５４からミューティング信号が取り出され、このミューティング信号がアンプ１７に供給されてミューティングの制御が行われる。
【００３１】
さらに、インターフェイス回路５５には、エリアコールキーＫA、確定キーＫE、サーチキーＫSおよび７局分の選局キーＫ1〜Ｋ7が接続される。なお、キーＫ1〜Ｋ7は、データテーブルDTBLのデータエリアＰ1〜Ｐ7にそれぞれ対応するとともに、メモリ４４のエリアＡ1〜Ａ7にそれぞれ対応する。さらに、キーＫA〜Ｋ7は、いずれもノンロックタイプのプッシュスイッチにより構成されている。
【００３２】
また、バス４９には、ディスプレイコントローラ５６が接続されるとともに、このコントローラ５６には、表示素子として、例えばＬＣＤ６１が接続される。そして、ＣＰＵ４１からコントローラ５６に表示用のデータが供給されると、そのデータに対応した文字などがＬＣＤ６１に表示される。
【００３３】
このような構成において、まず、オートプリセットキーＫAを押すと、データテーブルDTBLを使用して主要な周波数でのエリアコールが実行される。すなわち、キーＫAを例えば２秒以上押すと、ＣＰＵ４１がＲＯＭ４２のルーチンを実行することにより、14分割されたエリアのうちの第１番目のエリア「北海道」を示す文字のデータが、ＣＰＵ４１からコントローラ５６に供給され、ＬＣＤ６１には、「北海道」を示す文字が表示される。
【００３４】
そして、以後、キーＫAを押すごとに、ＬＣＤ６１に表示されるエリアの名前が順に変化していく。なお、この表示の変化は巡回式とされ、最後の「九州」の次は最初の「北海道」とされる。
【００３５】
そして、目的とするエリアの名前が表示されたら、確定キーＫEを押す。すると、そのとき名前の表示されているエリアのデータテーブルDTBLが、以後、選択された状態となる。例えば、「東北２」を示す文字がＬＣＤ６１に表示されているときに、確定キーＫEを押すと、「東北２」のデータテーブルDTBL、すなわち、図３ＡのデータテーブルDTBLが選択され、以後の処理の対象とされる。
【００３６】
続いて、その選択されたデータテーブルDTBLの分周比Ｎ〜Ｎのうち、データエリアＰ1〜Ｐ7の第１のサブエリアＱ1〜Ｑ1の分周比Ｎ〜Ｎが、メモリ４４のエリアＡ1〜Ａ7に転送されて書き込まれる。そして、これで、キーＫAによるエリアコール処理は終了であり、選局キーＫ1〜Ｋ7に放送局がプリセットされたことになる。
【００３７】
したがって、以後、選局キーＫ1〜Ｋ7により、ワンタッチで選局を行うことができる。すなわち、キーＫ1〜Ｋ7のうちの任意のキーＫi（i＝1〜7のどれか）を押すと、メモリ４４のエリアＡ1〜Ａ7のうち、エリアＡiからそこに転送されて書き込まれている分周比Ｎが読み出され、この読み出された分周比Ｎがポート５１を通じて可変分周回路２２にセットされる。したがって、受信回路１０の受信周波数ｆRXは、可変分周回路２２にセットされた分周比Ｎに対応した周波数となる。
【００３８】
こうして、エリアコールキーＫAを押すと、エリアコール処理が実行され、以後、プリセットされている放送局を、選局キーＫ1〜Ｋ7を押すだけのワンタッチで選局することができる。
【００３９】
ただし、これだけでは、受信機の使用場所によっては、選局キーＫ1〜Ｋ7に、受信できないか、あるいは受信に適さない放送局がプリセットされていることがある。そして、そのような場合には、サーチキーＫSを押す。
【００４０】
すると、ＣＰＵ４１により、ルーチン１００が実行されて受信に適した放送局が再プリセットされる。すなわち、サーチキーＫSを例えば２秒以上押すと、ＣＰＵ４１の処理がルーチン１００のステップ１０１からスタートし、次にステップ１０２において、制御信号Ｓ52が“０”とされて受信回路１０の受信感度が通常よりも低い感度とされる。また、ポート５４からのミューティング信号により、アンプ１７のミューティングがオンとされる。
【００４１】
続いて、ステップ１１１において、変数Ｍが「１」にセットされ、さらに、ステップ１１２において、変数Ｓが「１」にセットされる。この場合、変数Ｍは、データエリアＰ1〜Ｐ7およびメモリ４４のエリアＡ1〜Ａ7を指定するポインタである。また、変数Ｓは、サブエリアＱ1〜Ｑ11を指定するポインタである。
【００４２】
次に、ステップ１１３において、データテーブルDTBLのうち、変数Ｍが示すデータエリアＰMの、変数Ｓが示すサブエリアＱSから、ここに書き込まれている分周比ＮMSが読み出され、この読み出された分周比ＮMSがＰＬＬ２０の可変分周回路２２にセットされる。
【００４３】
例えば、受信機を使用しているエリアが「東北２」であり、したがって、図３ＡのデータテーブルDTBLが使用されている場合であれば、今は、Ｍ＝１、Ｓ＝１なので、データエリアＰ1のサブエリアＱ1から、ここに書き込まれている分周比149が読み出され、この分周比149が可変分周回路２２にセットされる。
【００４４】
したがって、このステップ１１３が実行された時点から、分周比ＮMSに対応する周波数の放送局、例えば周波数891ｋHzの「ＮＨＫ第１放送」が選局されることになる。
【００４５】
次に、ステップ１１４において、検出信号Ｓ31をチェックすることにより、放送を受信できるかどうかが判別される。そして、Ｓ31＝“０”のとき、すなわち、放送を受信できないときには、処理はステップ１１４からステップ１１５に進み、このステップ１１５において、変数Ｓが「１」だけインクリメントされる。
【００４６】
続いて、ステップ１１６において、データテーブルDTBLのうち、変数Ｍが示すデータエリアＰMの、変数Ｓが示すサブエリアＱSから、ここに書き込まれている分周比ＮMSが読み出され、この読み出された分周比ＮMSが「０」であるかどうかをチェックすることにより、データが終了したかどうかが判別される。今は、Ｍ＝１、Ｓ＝２なので、データエリアＰ1のサブエリアＱ2の分周比Ｎ12が「０」であるかどうかがチェックされる。
【００４７】
そして、ＮMS≠０のときには、処理はステップ１１７からステップ１１３に戻る。
【００４８】
したがって、以後、ステップ１１３〜１１６が繰り返され、データエリアＰMのサブエリアＱ1〜Ｑ10に書き込まれている分周比ＮM1〜ＮM10が、順に読み出されるとともに、その読み出された分周比ＮMSの周波数ごとに放送の有無がチェックされることになる。
【００４９】
そして、ある周波数で放送を受信できると、これがステップ１１４において判別され、処理はステップ１１４からステップ１１８に進み、このステップ１１８において、このときの分周比ＮMSが、メモリ４４のエリアＡ1〜Ａ7のうち、第Ｍ番目のエリアＡMに書き込まれる。例えば、Ｍ＝１、Ｓ＝８における分周比226の周波数1584ｋHzで放送を受信できたときには、その分周比226が、メモリ４４のエリアＡ1に書き込まれる。
【００５０】
また、データエリアＰMのサブエリアＳ10の分周比ＮM10まで、放送の有無をチェックしたが、放送を受信できなかった場合には、ステップ１１５によりＳ＝11となるとともに、ステップ１１６においてＮMS＝０なので、処理はステップ１１６からステップ１１７に進み、このステップ１１７において、Ｓ＝１とされ、その後、処理はステップ１１８に進む。
【００５１】
したがって、データエリアＰMの第１番目のサブエリアＳ2〜Ｓ10に書き込まれている分周比ＮM2〜ＮM10では、放送を受信できなかったときには、代表的な周波数である第１番目のサブエリアＳ1の分周比ＮM1が使用される。
【００５２】
こうして、ステップ１１８により、メモリ４４のエリアＡMに分周比ＮMSが書き込まれると、これで、そのデータエリアＰMおよびエリアＡMが対応している選局キーＫM（および放送局）に関するプリセットは終了である。そして、処理は次の選局キーのための処理となる。
【００５３】
すなわち、処理はステップ１１８からステップ１２１に進み、このステップ１２１において、変数Ｍが「１」だけインクリメントされる。したがって、処理の対象となる選局キーは、次の選局キーとなったわけである。
【００５４】
そして、次にステップ１２２において、変数Ｍが最大値７を越えているかどうかがチェックされ、越えていないときには、処理はステップ１２２からステップ１２３に進み、このステップ１２３において、データテーブルDTBLのうち、変数Ｍが示すデータエリアＰMの第１番目のサブエリアＱ1から、ここに書き込まれている分周比ＮM1が読み出され、この読み出された分周比ＮM1が「０」であるかどうかをチェックすることにより、データが終了したかどうかが判別される。今は、Ｍ＝２、Ｓ＝１なので、データエリアＰ2のサブエリアＱ1の分周比Ｎ21が「０」であるかどうかがチェックされる。
【００５５】
そして、ＮMS≠０のときには、処理はステップ１２３からステップ１１２に戻る。
【００５６】
したがって、以後、選局キーごとにステップ１１３〜１１６が繰り返され、放送を受信できると、そのときの分周比ＮMSがメモリ４４のエリアＡMに書き込まれ、選局キーＫMにその受信できた放送局がプリセットされることになる。
【００５７】
そして、「東北２」の場合には、第６番目以降のデータエリアＰ6、Ｐ7には、分周比Ｎが書き込まれていないが、ステップ１２１におけるインクリメントの結果、Ｍ＝６になると、ステップ１２３において、Ｎ61＝０が判別され、処理はステップ１２３からステップ１２４に進む。
【００５８】
そして、このステップ１２４において、メモリ４４のエリアＡ1〜Ａ7うち、現在対象となっている選局キーＫMよりも１つ手前の選局キーＫ(M-1)に対応するエリアＡ(M-1)から、ここに書き込まれている分周比Ｎが読み出され、この読み出された分周比Ｎが、現在対象となっている選局キーＫMに対応するエリアＡMに書き込まれる。そして、その後、処理はステップ１２１に戻る。
【００５９】
したがって、メモリ４４のエリアＡ1〜Ａ7のうち、有効な分周比Ｎが全く書き込まれていないデータエリアＰM（例えば、データエリアＰ6）に対応するエリアＡMには、１つ手前のエリアＡ(M-1)の分周比Ｎが重複して書き込まれることになる。
【００６０】
そして、以上のようにして、すべてのメモリ４４のエリアＡ1〜Ａ7に分周比Ｎが書き込まれると、このとき、ステップ１２１によりＭ＝８となるとともに、これがステップ１２２において判別され、処理はステップ１２２からステップ１３１に進む。そして、このステップ１３１において、ポート５２からの制御信号Ｓ52が“１”となて受信回路１０は通常の受信感度に戻されるとともに、ポート５４からのミューティング信号によりアンプ１７のミューティングが解除される。
【００６１】
そして、ステップ１３２において、例えばメモリ４４のエリアＡ1から分周比Ｎが読み出されるとともに、この読み出された分周比Ｎが可変分周回路２２にセットされて、その読み出された分周比Ｎに対応した受信周波数とされ、その後、ステップ１３３により、このルーチン１００を終了する。
【００６２】
したがって、以後、選局キーＫ1〜Ｋ7のうちの任意のキーＫiを押すと、メモリ４４のエリアＡ1〜Ａ7のうち、エリアＡiからそこに書き込まれている分周比Ｎが読み出され、この読み出された分周比Ｎがポート５１を通じて可変分周回路２２にセットされる。したがって、受信回路１０の受信周波数ｆRXは、可変分周回路２２にセットされた分周比Ｎに対応した周波数となる。そして、その場合、その周波数は、プリセット時、実際に放送の受信のできた周波数である。
【００６３】
以上のようにしてプリセットが行われるが、この場合、この受信機によれば、日本全国を14のエリアに分割するとともに、そのエリアごとのデータテーブルDTBLにしたがって、そのエリアに存在する周波数だけをプリセットの対象としているので、よけいな周波数がプリセットされることが少なく、また、短い時間でプリセットを行うことができる。
【００６４】
さらに、日本全国をエリアに分割するとき、14程度のエリア数に分割すればよく、多数のエリアに分割する必要がないので、データテーブルDTBLの数およびサイズを小さくすることができ、したがって、データテーブルDTBLを有するＲＯＭ４２が大容量となることがない。また、エリアの数が少ないので、エリアの選択も容易である。
【００６５】
しかも、データテーブルDTBLには、サテライト周波数の分周比Ｎまで用意されているとともに、そのサテライト周波数もプリセットの対象となるので、日本全国のどこででも使用することができる。
【００６６】
さらに、サーチキーＫSが押されてルーチン１００が実行され、メモリ４４のエリアＡ1〜Ａ7の分周比がデータテーブルDTBLの分周比にしたがって書き変えられている期間には、受信回路１０の受信感度は低下するようにされているので、対象となるエリアにおいて実用となる放送局だけをプリセットすることができる。
【００６７】
なお、上述においては、受信回路１０がＡＭ放送を受信する場合であるが、ＦＭ放送あるいはテレビ放送（特にその音声信号）を受信する場合も、同様に構成することができる。
【００６８】
また、選局キーＫ1〜Ｋ7のうち、このルーチン１００が実行される前の最後に押された選局キーＫiを記憶しておき、ステップ１３２においては、メモリ４４のエリアＡ1〜Ａ7のうち、その記憶しておいた選局キーＫiに対応するエリアＡiから、ここに書き込まれている分周比のデータを読み出して可変分周回路２２にセットすることもできる。そのようにすれば、サーチキーＫSが押されたときに選局していた放送局について、適切な周波数を受信することができる。
【００６９】
【発明の効果】
この発明によれば、よけいな周波数がプリセットされることが少なく、また、短い時間でプリセットを行うことができる。さらに、メモリが大容量となることがない。また、エリアの選局も容易である。しかも、全国のどこででも使用することができる。
【図面の簡単な説明】
【図１】この発明の一形態を示す系統図である。
【図２】この発明の一形態を示すフローチャートである。
【図３】この発明を説明するための図である。
【符号の説明】
１０  受信回路
１４  ミキサ回路
１５  中間周波アンプ
１６  ＡＭ検波回路
２０  ＰＬＬ
２１  ＶＣＯ
２２  可変分周回路
３１  検出回路
４０  マイクロコンピュータ
４１  ＣＰＵ
４２  ＲＯＭ（プログラムおよびデータ用）
４４  メモリ（プリセット用）
５６  ディスプレイコントローラ
６１  ＬＣＤ
１００  サーチルーチン
DTBL  データテーブル
ＫA〜Ｋ7  操作キー
【図１】
0003709897.tif 000004
【図２】
0003709897.tif 000005
【図３】
0003709897.tif 000006